(57)【要約】【課題】各種電子機器に使用される開閉装置に関し、簡易な構成で、多様な開閉操作が可能なものを提供することを目的とする。【解決手段】固定筐体１または可動筐体２に、ダンパー装置１０の可動体１２端部から突出した固定体１１が、所定角度で当接する係合部１７を設けることによって、ダンパー装置１０の固定体１１が係合部１７に当接していない間は、ダンパー装置１０の抵抗力がはたらかず、この間は速やかな開閉操作が行えるため、簡易な構成で、多様な開閉装置が可能な開閉装置を得ることができる。【選択図】図１
2008057714.tif 000002
【特許請求の範囲】
【請求項１】
略箱型の固定筐体と、この固定筐体上端に下端を支点として開閉可能に装着された可動筐体と、略円筒状の可動体が上記可動筐体または固定筐体に装着されると共に、この可動体端部から固定体が回転可能に突出したダンパー装置からなり、上記固定筐体または可動筐体に、所定角度で上記固定体に当接する係合部を設けた開閉装置。
【発明の詳細な説明】
【技術分野】
【０００１】
本発明は、携帯電話やパーソナルコンピュータ等の、各種電子機器に使用される開閉装置に関するものである。
【背景技術】
【０００２】
近年、携帯電話やパーソナルコンピュータ等の電子機器の小型化や軽量化が進む中、固定筐体に対し可動筐体が開閉可能に装着された、所謂、折畳み式のものが増えており、これらに用いられる開閉装置においても、確実でより多様な開閉操作が行えるものが求められている。
【０００３】
このような従来の開閉装置について、携帯電話を例として図７を用いて説明する。
【０００４】
図７は従来の開閉装置の斜視図であり、同図において、１は略箱型で絶縁樹脂製の固定筐体で、この上面には複数のキーが配列された操作部１Ａや、マイクロフォン等の音声入力部１Ｂが形成されている。
【０００５】
また、２は同じく絶縁樹脂製の可動筐体で、前面にＬＣＤ等の表示部２Ａやスピーカ等の音声出力部２Ｂが形成されると共に、この可動筐体２が下端を支点として固定筐体１上端に開閉可能に装着されている。
【０００６】
そして、３は複数のカムやばね（図示せず）等から形成されたヒンジ装置で、固定筐体１と可動筐体２の間に装着され、このヒンジ装置３によって、可動筐体２が固定筐体１に対し、所定角度以下では閉方向へ、所定角度以上では開方向へ付勢されるように形成されている。
【０００７】
さらに、４はダンパー装置で、固定筐体１と可動筐体２の間に装着され、内蔵されたオイルやゴム（図示せず）等の粘性によって、可動筐体２の開閉操作に抵抗を与え、開閉操作が緩やかなものとなるようにして、開閉装置が構成されている。
【０００８】
以上の構成において、例えば可動筐体２が閉じた状態から、固定筐体１側面の押釦（図示せず）等を押圧操作すると、ヒンジ装置３のカムやばね等が動作して、可動筐体２に開く方向の力が加わり、可動筐体２が開方向へ付勢されて開操作が行われ、１６０度程開いた状態で保持される。
【０００９】
但し、この時、可動筐体２にはダンパー装置４によって、開方向への抵抗が加わるため、この抵抗力によってヒンジ装置３の開方向への付勢力は減衰され、可動筐体２の開操作は緩やかに行われる。
【００１０】
また、この開状態から可動筐体２を手で閉じた場合には、所定角度まで閉じると、ヒンジ装置３のカムやばね等の動作によって、可動筐体２に閉方向への力が加わり、可動筐体２が閉じた状態で保持される。
【００１１】
なお、この閉操作の際にも、ダンパー装置４によって可動筐体２に閉方向への抵抗が加わり、可動筐体２の閉操作は緩やかに行われる。
【００１２】
つまり、ヒンジ装置３によって可動筐体２を開または閉方向へ付勢して、固定筐体１に対する可動筐体２の開閉操作を行うと共に、ダンパー装置４によって可動筐体２へ常に一定の抵抗を与え、どの開閉角度でも可動筐体２の開閉操作が緩やかに行われるように構成されているものであった。
【００１３】
なお、この出願の発明に関連する先行技術文献情報としては、例えば、特許文献１が知られている。
【特許文献１】特開２００４−３４０２０９号公報
【発明の開示】
【発明が解決しようとする課題】
【００１４】
しかしながら、上記従来の開閉装置においては、ヒンジ装置３の開閉方向への力をダンパー装置の一定の抵抗力で弱め、緩やかな開閉操作が行われるように構成されているため、可動筐体２の開閉速度は常に一定であり、例えば、開いた直後は速やかに開いたり、閉じる直前には速やかに閉じたりするといった、多様な開閉操作を行うことが困難であるという課題があった。
【００１５】
本発明は、このような従来の課題を解決するものであり、簡易な構成で多様な開閉操作が可能な開閉装置を提供することを目的とする。
【課題を解決するための手段】
【００１６】
上記目的を達成するために本発明は、固定筐体またはこれに開閉可能に装着された可動筐体に、ダンパー装置の可動体端部から突出した固定体が、所定角度で当接する係合部を設けて開閉装置を構成したものであり、ダンパー装置の固定体が係合部に当接していない間は、ダンパー装置の抵抗力がはたらかず、この間は速やかな開閉操作が行えるため、簡易な構成で、多様な開閉操作が可能な開閉装置を得ることができるという作用を有するものである。
【発明の効果】
【００１７】
以上のように本発明によれば、簡易な構成で、多様な開閉操作が可能な開閉装置を実現することができるという有利な効果が得られる。
【発明を実施するための最良の形態】
【００１８】
以下、本発明の実施の形態について、主に携帯電話を例として図１〜図６を用いて説明する。
【００１９】
なお、背景技術の項で説明した構成と同一構成の部分には同一符号を付して、詳細な説明を簡略化する。
【００２０】
（実施の形態）
図１は本発明の一実施の形態による開閉装置の部分断面図、図３（ａ）は同斜視図であり、同図において、１は略箱型で絶縁樹脂製の固定筐体で、この上面には複数のキーが配列された操作部１Ａや、マイクロフォン等の音声入力部１Ｂが形成されている。
【００２１】
そして、２は同じく絶縁樹脂製の可動筐体で、前面にＬＣＤ等の表示部２Ａやスピーカ等の音声出力部２Ｂが形成されると共に、この可動筐体２が下端を支点として固定筐体１上端に開閉可能に装着されている。
【００２２】
また、３は複数のカムやばね（図示せず）等から形成されたヒンジ装置で、固定筐体１と可動筐体２の間に装着され、このヒンジ装置３によって、可動筐体２が固定筐体１に対し、所定角度以下では閉方向へ、所定角度以上では開方向へ付勢されるように形成されている。
【００２３】
さらに、１０はダンパー装置で、固定体１１が固定筐体１に、可動体１２が可動筐体２に各々装着され、このダンパー装置１０によって、可動筐体２の開閉操作に抵抗が加わり、開閉操作が緩やかなものとなるようになっている。
【００２４】
そして、図４はこのダンパー装置１０の分解斜視図であり、同図において、１２は略円筒状で金属または絶縁樹脂製の可動体、１３は略円板状で金属製の可動板で、複数の可動板１３が可動体１２内に、軸線方向へ移動可能に収納されている。
【００２５】
また、１１は金属製の固定体、１４は略円板状で金属製の固定板で、この複数の固定板１４が複数の可動板１３の間に交互に配置されると共に、固定板１４の中央には角孔部が設けられ、この角孔部に固定体１１の略角柱状の固定軸１１Ａが挿通されて、複数の固定板１４が固定軸１１Ａに軸線方向へ移動可能に装着されている。
【００２６】
そして、１５は可動体１２左側面の開口部を覆うカバー、１６はコイル状のばねで、このばね１６がやや撓んだ状態でカバー１５右側面と可動板１３の間に装着されて、複数の可動板１３と複数の固定板１４が弾接している。
【００２７】
さらに、この複数の可動板１３と複数の固定板１４の間には、高粘度の潤滑剤（図示せず）が塗布されると共に、可動体１２左端からは固定体１１が回転可能に突出して、ダンパー装置１０が形成されている。
【００２８】
また、図１や図５（ａ）の要部斜視図に示すように、固定筐体１の固定体１１近傍には、固定体１１を囲むように略逆Ｌ字状の係合部１７が設けられると共に、係合部１７下面の押圧部１７Ａと固定体１１側面との間には、所定角度、例えば９０度分の空隙Ｌが空けられて開閉装置が構成されている。
【００２９】
以上の構成において、図２（ａ）に示すように、固定筐体１に対し可動筐体２が閉じた状態では、ヒンジ装置３によって可動筐体２が閉方向へ付勢され、閉状態が保持されると共に、図５（ａ）に示すように、係合部１７下面の押圧部１７Ａと固定体１１側面との間には、上記のように９０度分の空隙Ｌが空いている。
【００３０】
そして、この可動筐体２が閉じた状態から、固定筐体１側面の押釦（図示せず）等を押圧操作すると、ヒンジ装置３のカムやばね等が動作して、可動筐体２に開く方向の力が加わり、図２（ｂ）に示すように、可動筐体２が開方向へ付勢されて開操作が行われる。
【００３１】
なお、この可動筐体２が閉状態から９０度前後の角度に開くまでの間は、図５（ｂ）に示すように、可動筐体２に装着された可動体１２が回転すると共に、係合部１７下面の押圧部１７Ａと固定体１１側面との間には９０度分の空隙Ｌがあるため、固定体１１側面が係合部１７下面の押圧部１７Ａに当接するまでは、固定体１１も可動体１２と共に回転する。
【００３２】
つまり、閉状態から９０度に開くまでの間は、固定体１１も可動体１２と共に回転するため、ダンパー装置１０による抵抗力は発生せず、ヒンジ装置３の開方向の力のみによって、殆ど抵抗がなく、速やかに開操作が行われる。
【００３３】
そして、この後、可動筐体２はヒンジ装置３の付勢力によって、図３（ａ）に示すように、１２０度前後の角度まで開き、さらに図３（ｂ）に示す、１６０度前後まで開いて、この状態で保持される。
【００３４】
なお、この可動筐体２が９０度前後から１２０度、１６０度前後の角度まで開く間は、図６（ａ）や図６（ｂ）に示すように、固定体１１側面が係合部１７下面の押圧部１７Ａに当接し、固定体１１は回転できない状態となっているため、固定軸１１Ａに装着され停止した複数の固定板１４と、可動体１２に装着され回転する複数の可動板１３との間には、ばね１６の付勢力と塗布された高粘度の潤滑剤によって、開方向に対する抵抗が発生する。
【００３５】
したがって、可動筐体２が９０度前後から１２０度、１６０度前後の角度に開くまでの間、すなわち、固定体１１側面が係合部１７下面の押圧部１７Ａに当接している間は、ダンパー装置１０による抵抗力が発生し、可動筐体２の閉操作は緩やかに行われる。
【００３６】
また、この開状態から可動筐体２を手で閉じた場合には、９０度前後まで閉じる間は、ダンパー装置１０の抵抗力によって可動筐体２が緩やかに閉じ、９０度以下ではダンパー装置１０の抵抗がないため、可動筐体２の速やかな閉操作が行われる。
【００３７】
つまり、固定筐体１に９０度から１６０度前後の間だけ、固定体１１に当接する係合部１７を設けることによって、固定体１１が係合部１７に当接していない、閉状態から９０度に開くまでの間は速やかに、９０度から１６０度の間は、ダンパー装置１０の抵抗力によって緩やかに、開閉操作が行えるように構成されている。
【００３８】
すなわち、可動筐体２を開く際には、所定角度までは速やかに、それ以降は緩やかに開操作を行うことで、開ききった時の衝撃によって、機器を手から落下させること等のないようにすると共に、閉じる際には、所定角度までは抵抗感をもって閉操作を行えるようになっている。
【００３９】
このように本実施の形態によれば、固定筐体１に、ダンパー装置１０の可動体１２端部から突出した固定体１１が、所定角度で当接する係合部１７を設けることによって、ダンパー装置１０の固定体１１が係合部１７に当接していない間は速やかに、当接している間は緩やかな開閉操作が行えるため、簡易な構成で、多様な開閉操作が可能な開閉装置を得ることができるものである。
【００４０】
なお、以上の説明では、固定筐体１に係合部１７を設け、これに可動筐体２に装着された可動体１２から突出した固定体１１を当接させた構成について説明したが、これとは逆に、可動筐体２を固定筐体１に装着すると共に、可動筐体２に係合部を設け、これを固定体１１に当接させる構成としても、本発明の実施は可能である。
【００４１】
また、以上の説明では、ダンパー装置１０と共に機器に装着されたヒンジ装置３を用いて、固定筐体１に対する可動筐体２の開閉操作を行う構成について説明したが、ばね等によって可動筐体２が常に開方向へ付勢された構成のものや、或いは、可動筐体２を付勢するヒンジ装置がなく、手で可動筐体２の開閉を行うもの等においても実施は可能である。
【産業上の利用可能性】
【００４２】
本発明による開閉装置は、簡易な構成で、多様な開閉操作が可能なものを得ることができ、各種電子機器に使用される開閉装置として有用である。
【図面の簡単な説明】
【００４３】
【図１】本発明の一実施の形態による開閉装置の部分断面図
【図２】（ａ）、（ｂ）同斜視図
【図３】（ａ）、（ｂ）同斜視図
【図４】同ダンパー装置の分解斜視図
【図５】（ａ）、（ｂ）同要部斜視図
【図６】（ａ）、（ｂ）同要部斜視図
【図７】従来の開閉装置の斜視図
【符号の説明】
【００４４】
１  固定筐体
１Ａ  操作部
１Ｂ  音声入力部
２  可動筐体
２Ａ  表示部
２Ｂ  音声出力部
３  ヒンジ装置
１０  ダンパー装置
１１  固定体
１１Ａ  固定軸
１２  可動体
１３  可動板
１４  固定板
１５  カバー
１６  ばね
１７  係合部
１７Ａ  押圧部
【図１】
2008057714.tif 000003
【図２】
2008057714.tif 000004
【図３】
2008057714.tif 000005
【図４】
2008057714.tif 000006
【図５】
2008057714.tif 000007
【図６】
2008057714.tif 000008
【図７】
2008057714.tif 000009